(57)【要約】【課題】視認性および操作性の高い番組コンテンツのリストを表示することが可能なコンテンツ再生装置を提供する。【解決手段】コンテンツ再生装置は、表示手段と、記憶手段に格納されている複数のコンテンツデータを選択的に表示手段に再生することが可能な再生制御手段と、コンテンツデータの再生指示を受け付ける入力手段と、入力手段の指示に従って、表示手段に表示する複数のコンテンツデータのリストを編集するリスト生成手段とを備え、リスト生成手段は、複数のコンテンツデータのうち所定の条件を満たしているコンテンツ群があるか否かを判断し、所定の条件を満たしているコンテンツ群があると判断した場合には、複数のコンテンツデータのうちコンテンツ群を一括してリストを編集する。【選択図】図３
2014165572.tif 000002
【特許請求の範囲】
【請求項１】
表示手段と、
記憶手段に格納されている複数のコンテンツデータを選択的に前記表示手段に再生することが可能な再生制御手段と、
コンテンツデータの再生指示を受け付ける入力手段と、
前記入力手段の指示に従って、前記表示手段に表示する前記複数のコンテンツデータのリストを編集するリスト生成手段とを備え、
前記リスト生成手段は、
前記複数のコンテンツデータのうち所定の条件を満たしているコンテンツ群があるか否かを判断し、
前記所定の条件を満たしているコンテンツ群があると判断した場合には、前記複数のコンテンツデータのうち前記コンテンツ群を一括して前記リストを編集する、コンテンツ再生装置。
【請求項２】
前記リスト生成手段は、
前記複数のコンテンツデータのファイル情報をそれぞれ取得し、
前記複数のコンテンツデータのうち取得したファイル情報に含まれているタイトル、録画日時、チャンネルの少なくとも１つが一致しているコンテンツ群があるか否かを判断し、
一致してるコンテンツ群があると判断した場合には、前記複数のコンテンツデータのうち前記一致しているコンテンツ群を一括して前記リストを編集する、請求項１記載のコンテンツ再生装置。
【請求項３】
前記コンテンツ群は、同一の番組コンテンツであり、画質がそれぞれ異なるコンテンツデータである、請求項１記載のコンテンツ再生装置。
【請求項４】
前記リストの項目は、前記入力手段により選択可能に設けられ、
前記再生制御手段は、前記リストのうち一括して表示されたコンテンツ群の再生が前記入力手段により選択された場合には、電池残量に基づいて前記コンテンツ群に含まれるコンテンツデータのうちの１つを選択して前記表示手段に再生する、請求項１記載のコンテンツ再生装置。
【請求項５】
請求項１〜４のいずれかに記載のコンテンツ再生装置と、
前記コンテンツ再生装置と通信可能に設けられたコンテンツサーバとをさらに備え、
前記コンテンツサーバは、前記記憶手段を有する、コンテンツ再生システム。
【発明の詳細な説明】
【技術分野】
【０００１】
この発明は、コンテンツ再生装置およびコンテンツ再生システムに関し、特に記録されたコンテンツデータの再生に関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。デジタルテレビ放送では、アスペクト比１６：９の番組コンテンツだけでなく、アスペクト比が４：３の映像にサイドパネルを付けてアスペクト比を１６：９とした番組コンテンツや、サイドパネルとレターボックスとを付けてアスペクト比を１６：９とした番組コンテンツ等が放送されることがある。したがって、当該番組コンテンツを受信する側の映像表示装置において例えば映像サイズを調整する等して表示することが求められている（特許文献１）。
【先行技術文献】
【特許文献】
【０００３】
【特許文献１】特開２０１０−２８３８６１号公報
【発明の概要】
【発明が解決しようとする課題】
【０００４】
一方で、近年においては、受信したテレビ放送である番組コンテンツデータを例えば、上記装置に録画（記録）した後に、ネットワークを介して他の装置等（例えば、ユーザが所持する端末）に番組コンテンツを移動あるいはコピーさせて、他の装置（端末）等においても当該番組コンテンツを視聴することが可能となっている。当該場合には、他の装置（端末）等で視聴するために端末の表示器の解像度および処理負荷等を考慮した画質に変更（映像サイズを調整）して移動あるいはコピーすることが一般的に行われている。
【０００５】
しかしながら、他の装置（端末）側で番組コンテンツを視聴する場合には、同一の番組コンテンツであるにも関わらず、例えば、画質が異なる複数個の番組コンテンツがリストとして表示されることになり、リストの中から選択する際の視認性が悪いという問題がある。また、同一の番組コンテンツであるにも関わらず、複数個リストに項目が表示される場合には、別の番組コンテンツを探す手間や操作が煩雑になり操作性が悪くなるという問題もある。
【０００６】
本発明は、上記の問題を解決するためになされたものであって、視認性および操作性の高い番組コンテンツのリストを表示することが可能なコンテンツ再生装置およびコンテンツ再生システムを提供することを目的とする。
【課題を解決するための手段】
【０００７】
一実施例によれば、コンテンツ再生装置は、表示手段と、記憶手段に格納されている複数のコンテンツデータを選択的に表示手段に再生することが可能な再生制御手段と、コンテンツデータの再生指示を受け付ける入力手段と、入力手段の指示に従って、表示手段に表示する複数のコンテンツデータのリストを編集するリスト生成手段とを備え、リスト生成手段は、複数のコンテンツデータのうち所定の条件を満たしているコンテンツ群があるか否かを判断し、所定の条件を満たしているコンテンツ群があると判断した場合には、複数のコンテンツデータのうちコンテンツ群を一括してリストを編集する。
【発明の効果】
【０００８】
視認性および操作性の高い番組コンテンツのリストを表示することが可能である。
【図面の簡単な説明】
【０００９】
【図１】本実施の形態に従うコンテンツ再生システム１の概略的な構成を示す図である。
【図２】本実施の形態に従うサーバ装置２０および端末装置１００の概略を説明する機能ブロック図である。
【図３】サーバ装置２０に記憶されている番組コンテンツデータを端末装置１００にコピーする場合について説明する図である。
【図４】本実施の形態に従う番組コンテンツデータの再生に関する処理を説明するフロー図である。
【図５】本実施の形態に従う編集リストの生成処理のフロー図である。
【図６】端末装置において「持ち出した番組を見る」アイコンを選択した場合に表示されるコンテンツリスト画面を説明する図である。
【図７】本実施の形態の変形例に従う番組コンテンツデータの再生について説明するフロー図である。
【発明を実施するための形態】
【００１０】
本実施の形態について、以下、図面を参照しながら説明する。実施の形態の説明において、個数および量などに言及する場合、特に記載がある場合を除き、本発明の範囲は必ずしもその個数およびその量などに限定されない。実施の形態の説明において、同一の部品および相当部品に対しては、同一の参照番号を付し、重複する説明は繰り返さない場合がある。特に制限が無い限り、実施の形態に示す構成に示す構成を適宜組み合わせて用いることは、当初から予定されていることである。
【００１１】
図１は、本実施の形態に従うコンテンツ再生システム１の概略的な構成を示す図である。図１を参照して、コンテンツ再生システム１は、テレビ放送の放送局の放送設備１０と、サーバ装置２０と、ネットワーク２５と、端末装置１００とを含む。放送局の放送設備１０は、テレビ放送の映像および音声が符号化されたデジタルデータ（番組コンテンツデータ）を電気信号に変換して、変換した電気信号を電波として送信する。
【００１２】
放送局の放送には、地上デジタル放送、ＢＳ（Broadcasting Satellite）デジタル放送、ＣＳ（Communications Satellite）デジタル放送等がある。なお、放送設備１０は、無線でテレビ放送を送信することに替えて、ケーブルテレビのように、有線でテレビ放送を送信するようにしてもよい。また、放送設備１０は、ネットワーク２５に接続されるようにしてもよい。
【００１３】
サーバ装置２０は、アンテナ２２を介して放送設備１０から送信される電波を電気信号として受信して、受信した電気信号をデジタルデータ（番組コンテンツデータ）に変換し、変換したデジタルデータを復号したテレビ放送の映像および音声を出力（再生）することが可能なように設けられている。一例として、サーバ装置２０とは、例えば、据え置き型テレビジョン、レコーダ、セットトップボックス等である。また、サーバ装置２０は、テレビ放送の番組コンテンツデータを記録部等に格納するとともに、ネットワーク２５を介して端末装置１００に送信可能に設けられている。
【００１４】
端末装置１００は、ネットワーク２５と接続されてデータを送受信可能なように設けられており、サーバ装置２０から送信された番組コンテンツデータを再生表示することが可能である。なお、再生表示の方式としては、サーバ装置２０から送信された番組コンテンツデータを全て受信して再生する場合のみならず、ダウンロードしながら再生するストリーミング再生も可能なように構成されているものとする。
【００１５】
端末装置１００は、一例としてユーザが携帯できる装置として設けることが可能であり、例えば、携帯電話、スマートフォン、タブレット、ノート型ＰＣ（Personal  Computer）などである。
【００１６】
ネットワーク２５は、電話交換網およびデジタル交換網の電気通信事業者が提供するネットワーク、ならびに、インターネットを含む。一例としてＬＡＮ（Local Area Network）やＷＡＮ（Wide Area Network）である。なお、ネットワークの形態は、無線および有線のいずれでもよい。
【００１７】
図２は、本実施の形態に従うサーバ装置２０および端末装置１００の概略を説明する機能ブロック図である。図２（Ａ）を参照して、ここでは、サーバ装置２０の概略を説明する機能ブロックが示されている。サーバ装置２０は、制御部３０と、記憶部３４と、操作部３８と、出力制御部３６と、放送受信部３２と、通信部４０とを含む。本例においては、例えば、表示器２４（例えばテレビジョン等）がサーバ装置２０の外部に設けられている例について説明するが、表示器２４がサーバ装置２０と一体型とすることも可能である。
【００１８】
制御部３０は、ＣＰＵ（Central Processing Unit）およびその補助回路からなり、記憶部３４、操作部３８、出力制御部３６、放送受信部３２、および、通信部４０を制御し、記憶部３４に記憶されたプログラムまたはデータに従って所定の処理を実行し、操作部３８、放送受信部３２、通信部４０から入力されたデータを処理し、処理したデータを、記憶部３４に記憶させたり、出力制御部３６、または、通信部４０を介して外部に出力したりする。
【００１９】
記憶部３４は、制御部３０でプログラムを実行するために必要な作業領域として用いられるＲＡＭ（Random Access Memory）と、制御部３０で実行するための基本的なプログラムを記憶するためのＲＯＭ（Read Only Memory）と、番組コンテンツデータ等を格納するためのＨＤＤ（Hard Disc Drive）を含む。また、ＲＡＭには、所定の処理を実行するためのデータまたはスクリプトなどのプログラムが、通信部４０から読込まれて記憶される。さらに、記憶部３４の記憶領域を補助するための補助記憶装置の記憶媒体として、磁気ディスク（ＨＤ（Hard Disk）、ＦＤ（Flexible Disk））、光ディスク（ＣＤ（Compact Disc）、ＤＶＤ（Digital Versatile Disk）、ＢＤ（Blue-ray Disc））、光磁気ディスク（ＭＯ（Magneto-Optical disk））、または、半導体メモリ（メモリカード、ＳＳＤ（Solid State Drive））などが用いられてもよい。
【００２０】
操作部３８は、電源スイッチや、チャンネルを昇順または降順に切換えるためのチャンネル切換えボタンと、音量を増加させたり減少させたりするための音量ボタンとを含む。なお、操作部３８は、他の操作のための部分を含むようにしてもよい。操作部３８がユーザによって操作されることによって、操作部３８から制御部３０に操作に応じた操作信号が送信される。制御部３０は、操作部３８からの操作信号に応じてサーバ装置２０の各部を制御する。
【００２１】
放送受信部３２は、制御部３０によって制御されて、放送局の放送設備１０からアンテナ２２を介して受信した放送信号を復調し、復調した信号のうち動画圧縮データ（たとえば、ＭＰＥＧ（Moving Picture Experts Group）−２データ、ＭＰＥＧ−４データ、Ｈ．２６４データ）を復号して映像信号および音声信号に変換する。そして、変換されたデジタルデータ（番組コンテンツデータ）は、制御部３０により記憶部３４に格納される。
【００２２】
また、制御部３０は、デジタルデータ（番組コンテンツデータ）を出力制御部３６に出力し、出力制御部３６は、表示器２４に対して映像信号および音声信号を出力する。これにより表示器２４において番組コンテンツが出力（映像出力および音声出力）される。
【００２３】
通信部４０は、制御部１１０によって制御されて、ネットワーク２５を介して、他のネットワーク通信可能な機器、たとえば、端末装置１００とデータを遣り取りをし、番組コンテンツを端末装置１００に出力することが可能である。
【００２４】
図２（Ｂ）を参照して、ここでは、端末装置１００の概略を説明する機能ブロックが示されている。端末装置１００は、制御部１１０と、記憶部１０８と、操作部１０６と、放送受信部１０４と、通信部１１６と、出力制御部１１２と、出力部１１４と、バッテリ１１８とを含む。
【００２５】
制御部１１０は、ＣＰＵおよびその補助回路からなり、記憶部１０８と、操作部１０６と、放送受信部１０４と、通信部１１６と、出力制御部１１２と、出力部１１４と、バッテリ１１８を制御する。また、制御部１１０は、記憶部１０８に記憶されたプログラムまたはデータに従って所定の処理を実行し、記憶部１０８と、操作部１０６と、放送受信部１０４と、通信部１１６と、出力制御部１１２と、出力部１１４と、バッテリ１１８から入力されたデータを処理し、処理したデータを、記憶部１０８に記憶させたり、通信部１１６を介して外部に出力したりする。制御部１１０は、さらに、出力部１１４においてデジタルデータ（番組コンテンツデータ）を出力（再生）するための再生制御部１２０と、出力部１１４に再生を指示するためのデジタルデータ（番組コンテンツデータ）のリストを生成するリスト生成部１３０とを含む。
【００２６】
記憶部１０８は、図２（Ａ）で説明したサーバ装置２０の記憶部３４と同様であるので、重複する説明は繰返さない。
【００２７】
操作部１０６は、各種データなどの数字やアルファベットやその他の文字などを入力するための、ダイヤルキー、十字操作キー、および、その他のファンクションキーを含む。なお、操作部１０６は、他の操作のための部分を含むようにしてもよい。たとえば、出力部１１４に設けられるタッチパネルを含むようにしてもよい。操作部１０６がユーザによって操作されることによって、操作部１０６から制御部１１０に操作に応じた操作信号が送信される。制御部１１０は、操作部１０６からの操作信号に応じて端末装置１００の各部を制御する。
【００２８】
放送受信部１０４は、通信部１１６については、図２（Ａ）で説明したサーバ装置２０の放送受信部３２、通信部４０と同様であるので、重複する説明は繰り返さない。
【００２９】
出力部１１４は、ディスプレイ（表示部）およびスピーカを含む。
出力制御部１１２は、制御部１１０によって制御されて、放送受信部１０４で受信された放送信号が変換されたデジタルデータ（番組コンテンツデータ）、または、サーバ装置２０から送信され、通信部１１６を介して受信された番組コンテンツデータをそれぞれ、映像として出力部１１４に表示させ、音声としてスピーカから出力させる。
【００３０】
バッテリ１１８は、充電可能に設けられるとともに、端末装置１００の各部に必要な電源を供給し、制御部１１０は、バッテリの残量を検知して、その検知結果に基づいて所定の処理を実行する。
【００３１】
図３は、サーバ装置２０に記憶されている番組コンテンツデータを端末装置１００にコピーする場合について説明する図である。
【００３２】
図３（Ａ）は、サーバ装置２０にデジタルデータ（番組コンテンツデータ）が格納されていてネットワーク２５を介して端末装置１００にコピーする場合が示されている。
【００３３】
一方で、地上波デジタル放送および衛星デジタルテレビ放送におけるコピーガードの機能としてダビング１０等の運用ルールが開始されている。当該運用ルールに従えばダビング１０は、コピー９回＋ムーブ（移動）１回が可能となっている。なお、本例においては、一例としてコピーガードの機能が設けられている番組コンテンツデータ（セキュアコンテンツデータ）について説明するが、コピーガードの機能が設けられていない番組コンテンツデータ（ノンセキュアコンテンツデータ）についても同様に適用可能である。
【００３４】
したがって、複数回、端末装置１００に同一の番組コンテンツをコピーすることも可能であり、その場合には、複数個の番組コンテンツが端末装置１００に格納されることになる。なお、本例においては、端末装置１００に対して同一の番組ではあるが、異なる画質の番組コンテンツを複数コピーして送信する場合について説明する。
【００３５】
図３（Ｂ）は、端末装置において従来のメニュー画面から「持ち出した番組を見る」アイコンを選択した場合に表示されるコンテンツリスト画面を説明する図である。
【００３６】
ここでは、端末装置に表示されるメニュー画面として、「録画した番組を見る」、「テレビを見る」、「持ち出した番組を見る」アイコンがそれぞれ選択可能な状態で表示されている場合が示されている。「録画した番組を見る」アイコンが選択された場合には、サーバ装置にアクセスして、サーバ装置において格納された、すなわち録画した番組コンテンツを見ることを指示する処理が実行される。当該番組コンテンツデータの再生はストリーミング再生となる。「テレビを見る」アイコンが選択された場合には、端末装置で受信している番組コンテンツを見ることを指示する処理が実行される。「持ち出した番組を見る」アイコンが選択された場合には、サーバ装置から端末装置に対してデジタルデータ（番組コンテンツデータ）を送信して、端末装置において取得した番組コンテンツを見ることを指示する処理が実行される。
【００３７】
本例においては、「持ち出した番組を見る」アイコンが選択された場合が示されている。当該選択に従い、端末装置に格納された番組コンテンツを選択するためのリストが表示される。本例においては、一例として、端末装置に複数個の番組コンテンツが格納されている場合が示されている。そして、同一の番組ではあるが、コピーした番組コンテンツの数に従ったリスト表示がされた場合が示されている。
【００３８】
具合的には、それぞれ４個の「タイトルＡ、チャンネルＸ、録画日時「２０１２／１２／０７」の番組コンテンツ」および「タイトルＢ、チャンネルＹ、録画日時「２０１１／８／３１」」がリスト表示されている場合が示されている。
【００３９】
図３（Ｃ）は、端末装置１００において、本実施の形態に従うメニュー画面から「持ち出した番組を見る」アイコンを選択した場合に表示されるコンテンツリスト画面を説明する図である。本例においては、「持ち出した番組を見る」アイコンが選択された場合が示されており、当該選択に従い端末装置１００に格納された番組コンテンツデータを選択するためのリストが表示される。本例においては、一例として、図３（Ｂ）と同じように端末装置１００に複数個の番組コンテンツデータが格納されているものとする。
【００４０】
そして、当該場合に、コンテンツリスト画面において、同一の番組である番組コンテンツを一括してリスト表示した場合が示されている。リスト表示された各項目は、アイコンとしてそれぞれ選択可能な状態で表示されている場合が示されている。これにより、当該リストの視認性がよくなるため、ユーザは当該リストの中から所望の番組コンテンツデータに対する処理の操作がし易くなる。
【００４１】
なお、本例においては、当該一括して表示されたリストにおいて、さらに一括されたコンテンツ群を選択した場合には、詳細なコンテンツリスト（コンテンツリスト詳細画面とも称する）が表示されて、図３（Ｂ）で示されたのと同様のリスト表示がなされる。詳細なコンテンツリストをさらに表示することにより、より詳細な選択が可能なように設けられている。なお、当該リスト表示された各項目は、アイコンとしてそれぞれ選択可能な状態で表示されており、選択することにより再生が可能である。当該選択により、より詳細なコンテンツリスト画面の中ら所望の番組コンテンツデータを選択し、再生することが可能となる。
【００４２】
図４は、本実施の形態に従う番組コンテンツデータの再生に関する処理を説明するフロー図である。当該処理は、制御部１１０が記憶部１０８に記憶されているプログラムを実行することにより実現されるものとする。図４を参照して、まず、メニュー画面が表示される（ステップＳ２）。例えば、端末装置１００の所定ボタンを操作することにより出力部１１４であるディスプレイにメニュー画面が表示される。あるいは、初期画面としてメニュー画面を表示するようにしてもよい。
【００４３】
次に、記憶した番組を視聴する指示があるかどうかを判断する（ステップＳ４）。具体的には、メニュー画面において、「持ち出した番組を見る」のアイコンあるいは「録画した番組を見る」のアイコンが選択されたかどうかを判断する。
【００４４】
ステップＳ４において、記憶した番組を視聴する指示があると判断した場合（ステップＳ４においてＹＥＳ）には、編集リストを生成する処理を実行する（ステップＳ６）。具体的には、メニュー画面において、「持ち出した番組を見る」のアイコンあるいは「録画した番組を見る」のアイコンが選択された場合には、編集リストを生成する処理を実行する。編集リストを生成する処理の詳細については後述する。なお、編集リストを生成する処理は、リスト生成部１３０により実行されるものとする。
【００４５】
そして、次に、生成された編集リストに従ってコンテンツリスト画面を表示する（ステップＳ７）。具体的には、図３（Ｂ）の如く同一の番組である複数の番組コンテンツデータを一括した形式で１つの番組コンテンツデータとして編集したリストを表示する。
【００４６】
次に、表示されたリストにおいて番組コンテンツデータに対する選択があるかどうかを判断する（ステップＳ８）。具体的には、リスト生成部１３０により生成され表示されたリストに含まれる番組コンテンツデータの少なくとも１つを選択したかどうかを判断する。
【００４７】
ステップＳ８において、選択があると判断した場合（ステップＳ８においてＹＥＳ）には、コンテンツ群の選択であるかどうかを判断する（ステップＳ１０）。選択した項目が、後述する一括したコンテンツ群である番組コンテンツデータに対する選択であるかどうかを判断する。
【００４８】
ステップＳ１０において、コンテンツ群の選択であると判断した場合（ステップＳ１０においてＹＥＳ）には、コンテンツリスト詳細画面を表示する（ステップＳ１２）。具体的には、図３（Ｃ）の如く一括したコンテンツ群を展開したリスト詳細画面が表示される。そして、ステップＳ８に戻り、上記の処理を繰り返す。
【００４９】
一方、ステップＳ１０において、コンテンツ群の選択でないと判断した場合（ステップＳ１０においてＮＯ）には、選択した番組コンテンツデータを再生する（ステップＳ１６）。具体的には、再生制御部１２０は、選択された番組コンテンツデータを出力制御部１１２に出力して出力部１１４において出力する。そして、処理を終了する（エンド）。
【００５０】
一方、ステップＳ４において、記憶した番組視聴の指示で無いと判断した場合（ステップＳ４においてＮＯ）には、その他の処理を実行する（ステップＳ１４）。具体的には、メニュー画面において、「テレビを見る」のアイコンが選択された場合には、記憶した番組を視聴する指示ではないので当該選択指示に従い、再生制御部１２０は、放送受信部１０４で受信する番組コンテンツデータを出力制御部１１２に出力して出力部１１４において出力する。そして、処理を終了する（エンド）。
【００５１】
次に、編集リストの生成について説明する。図５は、本実施の形態に従う編集リストの生成処理のフロー図である。当該処理は、リスト生成部１３０により実行される。
【００５２】
図５を参照して、まず、番組コンテンツデータのリストを取得する（ステップＳ２０）。具体的には、メニュー画面において、「持ち出した番組を見る」のアイコンが選択された場合には、記憶部１０８に格納されている番組コンテンツデータのリストを取得する。また、「録画した番組を見る」のアイコンが選択された場合には、記憶部３４に格納されている番組コンテンツデータのリストを取得する。
【００５３】
そして、次に、そのうちの１つのデータを選択する（ステップＳ２２）。
そして、選択した番組コンテンツデータのファイル情報を抽出する（ステップＳ２４）。当該ファイル情報には、タイトル、録画日時、チャンネル、データサイズ等、番組コンテンツデータに関する付加的な情報が含まれているものとする。
【００５４】
そして、次に、編集リスト内に所定の条件を満たす番組コンテンツデータがあるかどうかを判断する（ステップＳ２６）。所定の条件としては、タイトル、録画日時、チャンネルの少なくとも１つが一致する番組コンテンツデータがあるかどうかを判断する。
【００５５】
なお、本例においては、所定の条件として上記条件が少なくとも１つ一致するか否かを判断する場合について説明するが、特にこれに限られず、複数の要素が全て一致している場合を所定の条件を満たすとすることも可能であるし、条件の項目についても他の情報を用いるようにしても良い。例えば、番組コンテンツデータの再生時間が近似しているか否かを判断条件に含めるようにしても良い。
【００５６】
ステップＳ２６において、編集リスト内に所定の条件を満たす番組コンテンツデータがあると判断した場合（ステップＳ２６においてＹＥＳ）には、当該番組コンテンツデータを一括する（ステップＳ２８）。なお、一括する処理としては、種々の方式があり、所定の条件を満たす番組コンテンツデータについては、前の番組コンテンツデータを有効として、今回の選択された番組コンテンツデータをリストに設定（登録）しないようにすることが可能である。また、別の方式として、前の番組コンテンツデータを無効として、今回の選択された番組コンテンツデータをリストに設定（登録）するようにしても良い。あるいは、共通の項目のみ表示されるようにリストに設定（登録）するようにしても良い。あるいは、データサイズに従って（大きいあるいは小さい）番組コンテンツデータを設定（登録）するようにしてもよい。図３（Ｃ）の場合には、データサイズに従ってデータサイズの大きい番組コンテンツデータを優先して編集リストに設定（登録）したものを表示した場合が示されている。なお、一括する方式としては、当該場合に限られず種々の方式を採用することが可能である。
【００５７】
そして、次に、全ての番組コンテンツデータのチェックが完了したかどうかを判断する（ステップＳ３０）。
【００５８】
ステップＳ３０において、全ての番組コンテンツデータのチェックが完了したと判断した場合（ステップＳ３０においてＹＥＳ）には、編集リストの生成を終了する（リターン）。すなわち、図４のステップＳ７に進む。
【００５９】
一方、ステップＳ３０において、全ての番組コンテンツデータのチェックが完了していないと判断した場合（ステップＳ３０においてＮＯ）には、ステップＳ２２に戻り、データを選択して、上記の処理を繰り返す。
【００６０】
また、ステップＳ２６において、編集リスト内に所定の条件を満たす番組コンテンツデータが無いと判断した場合（ステップＳ２６においてＮＯ）には、編集リストに設定する（ステップＳ２７）。すなわち、そのままリストに登録される。そして、ステップＳ３０に進む。以降の処理は同様である。
【００６１】
図６は、端末装置において「持ち出した番組を見る」アイコンを選択した場合に表示されるコンテンツリスト画面を説明する図である。図６（Ａ）を参照して、端末装置において、従来のメニュー画面から「録画した番組を見る」を選択した場合に表示されるコンテンツリスト画面を説明する図である。
【００６２】
ここでは、端末装置に表示されるメニュー画面として、「録画した番組を見る」、「テレビを見る」、「持ち出した番組を見る」アイコンがそれぞれ選択可能な状態で表示されている場合が示されており、「録画した番組を見る」アイコンが選択された場合が示されている。
【００６３】
本例においては、一例として、端末装置に複数個の番組コンテンツが格納されている場合について説明する。具合的には、２つの番組コンテンツデータ「タイトルＡ、チャンネルＸ、録画日時「２０１２／１２／０７」」が格納されているものとする。なお、一方は、画質が高く、番組コンテンツデータのデータサイズが６ＭＢ、他方は、画質が低く、番組コンテンツデータのデータサイズが１ＭＢであるものとする。当該画質が低いものは、サーバ装置が端末装置用に画質の低い番組コンテンツデータを生成したものである。
【００６４】
上記で説明したように、端末装置において、「録画した番組を見る」アイコンの選択に伴い、端末装置は、サーバ装置にアクセスして、サーバ装置において格納された、すなわち録画した番組コンテンツのリストが表示される。
【００６５】
本例においては、サーバ装置に同一番組ではあるが、複数個の番組コンテンツが格納されている場合であるためそれぞれがリスト表示される。
【００６６】
図６（Ｂ）を参照して、端末装置１００において、本実施の形態に従うメニュー画面から「録画した番組を見る」を選択した場合に表示されるコンテンツリスト画面を説明する図である。
【００６７】
本実施の形態においては、端末装置１００において、「録画した番組を見る」アイコンの選択に伴い、端末装置１００は、サーバ装置２０にアクセスして、サーバ装置２０において格納された、すなわち録画した番組コンテンツのリストを表示する。リスト表示された各項目は、アイコンとしてそれぞれ選択可能な状態で表示されている場合が示されている。
【００６８】
本例においては、一例として、図６（Ａ）と同じようにサーバ装置２０に複数個の番組コンテンツが格納されているものとする。この場合、上記で説明した図４のフローを実行することにより、コンテンツリスト画面において、同一の番組である番組コンテンツを一括してリスト表示した場合が示されている。これにより、当該リストの視認性がよくなるため、ユーザは当該リストの中から所望の番組コンテンツデータに対する処理の操作がし易くなる。
【００６９】
なお、本例においては、当該一括して表示されたリストにおいて、さらに一括されたコンテンツ群を選択した場合には、詳細なコンテンツリスト（コンテンツリスト詳細画面とも称する）が表示されて、図６（Ａ）で示されたのと同様のリスト表示がなされる。
【００７０】
詳細なコンテンツリストをさらに表示することにより、より詳細な選択が可能なように設けられている。なお、当該リスト表示された各項目は、アイコンとしてそれぞれ選択可能な状態で表示されており、選択することにより再生が可能である。
【００７１】
当該選択により、より詳細なコンテンツリスト画面の中ら所望の番組コンテンツデータを選択し、ストリーミング再生することが可能となる。
【００７２】
（変形例）
上記の図４のフローにおいては、リスト表示された中からコンテンツ群を選択した場合には展開したコンテンツリスト詳細画面が表示されて、そして、その中から選択された番組コンテンツデータを再生する場合について説明した。
【００７３】
本変形例においては、リスト表示された中からコンテンツ群を選択した場合には、当該コンテンツ群の中から１つの番組コンテンツデータを選択して再生する方式について説明する。
【００７４】
図７は、本実施の形態の変形例に従う番組コンテンツデータの再生について説明するフロー図である。当該処理は、制御部１１０が記憶部１０８に記憶されているプログラムを実行することにより実現され、主に再生制御部１２０が実行する。図７を参照して、コンテンツ群の選択であるかどうかを判断する（ステップＳ４０）。具体的には、図３（Ｃ）で示されるコンテンツリスト画面における選択が一括したコンテンツ群に対する選択であるかどうかを判断する。
【００７５】
次に、ステップＳ４０において、コンテンツ群の選択であると判断した場合（ステップＳ４０においてＹＥＳ）には、バッテリ残量を確認する（ステップＳ４２）。具体的には、バッテリ１１８の残量を検知して確認する。
【００７６】
そして、次に、バッテリ残量が少ないかどうかを判断する（ステップＳ４４）。本例においては、一例としてバッテリが満充電に対して所定の閾値を設けておき、その閾値未満である場合にバッテリ残量が少ないと判断するものとする。
【００７７】
ステップＳ４４において、バッテリ残量が少ないと判断した場合（ステップＳ４４においてＹＥＳ）には、データサイズが小さい番組コンテンツデータを再生する（ステップＳ４６）。具体的には、コンテンツ群に含まれる複数の番組コンテンツデータのうちデータサイズが小さい番組コンテンツデータを選択して再生する。そして、処理を終了する（エンド）。
【００７８】
一方、ステップＳ４４において、バッテリ残量が少なくないと判断した場合（ステップＳ４４においてＮＯ）には、データサイズが大きい番組コンテンツデータを再生する（ステップＳ４８）。具体的には、コンテンツ群に含まれる複数の番組コンテンツデータのうちデータサイズが大きい番組コンテンツデータを選択して再生する。そして、処理を終了する（エンド）。
【００７９】
一方、ステップＳ４０において、コンテンツ群の選択でない（ステップＳ４０においてＮＯ）には、通常の再生を実行する（ステップＳ５０）。具体的には、選択された番組コンテンツデータを再生する。そして、処理を終了する（エンド）。
【００８０】
当該処理により、バッテリ残量に従ってコンテンツ群の複数の番組コンテンツデータの中から適切な番組コンテンツデータを選択して再生することが可能となる。バッテリ残量が少ない場合には、バッテリ残量を優先して負荷の小さいデータサイズの小さい番組コンテンツデータを再生することが可能である。また、バッテリ残量が少なくない場合には、画質を優先して負荷の大きいデータサイズの大きい番組コンテンツデータを再生することが可能である。
【００８１】
これにより、上記においては、コンテンツリスト画面において、コンテンツ群を選択した場合には、コンテンツリスト詳細画面においてさらに選択することにより番組コンテンツデータを再生することが可能となるが、本変形例の場合には１アクションにより再生が可能となるため手続きが簡易になるとともに、バッテリ残量に応じて適切な番組コンテンツデータが自動で選択されるため利便性が高い。
【００８２】
なお、本例においては、バッテリ残量に従ってコンテンツ群の中から適切な番組コンテンツデータを自動で選択する場合について説明したが、充電中か否かを考慮するようにしてもよい。具体的には、充電中であれば、負荷の大きいデータサイズの大きい番組コンテンツデータを再生し、充電中でなければ、負荷の小さいデータサイズの小さい番組コンテンツデータを再生するようにしてもよい。あるいは、バッテリ残量と充電中か否か両方を組み合わせて判断するようにしても良い。
【００８３】
また、これに限られず、例えば、コンテンツ群に含まれる番組コンテンツデータの再生回数を予めカウントしておいて、再生回数の多い番組コンテンツデータを自動で選択して再生するようにしても良い。すなわち、ユーザの嗜好の傾向を判断して、それに基づいて判断するようにしても良い。また、ユーザの過去の視聴履歴に基づいて高画質優先傾向か、あるいは、低画質優先傾向か否かを予め分析して、当該分析結果に基づいてコンテンツ群に含まれる複数の番組コンテンツデータの中から最適な番組コンテンツデータを選択して再生するようにしてもよい。また、保存日時順や、再生時間の短いものや、ユーザーの視聴した時間に基づいて番組コンテンツデータを選択して再生するようにしても良い。
【００８４】
また、レジューム再生機能を設けて、コンテンツ群が選択された場合に過去に再生された番組コンテンツデータを再生するようにしても良い。
【００８５】
また、ストリーミング再生をする場合には、サーバ装置２０と通信接続される無線あるいは有線の接続スピードを検知して、検知結果に基づいて高速か低速か否かを判断し、高速の場合には負荷の大きいデータサイズの大きい番組コンテンツデータをストリーミング再生し、低速の場合には負荷の小さいデータサイズの小さい番組コンテンツデータをストリーミング再生するようにしてもよい。
【００８６】
なお、ここでは、バッテリ残量等に基づいて番組コンテンツデータを自動で選択する場合について説明したが、上記で説明したコンテンツリスト画面で表示する番組コンテンツデータの項目に関しても、バッテリ残量等に基づいて複数の番組コンテンツデータの中から優先する番組コンテンツデータを選択して設定（登録）するようにしても良い。なお、上記においては、一例として、番組コンテンツデータについて説明したが、特にこれに限られず、静止画であっても良いし、また、音楽データ等であっても同様に適用可能である。なお、この場合、リスト表示する際に一括する所定条件としては、静止画の場合には、作成日時、更新日時、ユーザタイトル等のExif情報に基づいて一致するか否かで判断することが可能である。また、画像認識で類似判定して類似していれば一括してリスト表示するようにしても良い。また、音楽データの場合には、曲名、アーティスト等のヘッダ情報等に基づいて一致するか否かで判断することが可能である。
【００８７】
なお、コンピュータを機能させて、上述のフローで説明したような制御を実行させるプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００８８】
なお、プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００８９】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００９０】
提供されるプログラム製品は、ハードディスクなどのプログラム格納部にインストールされて実行される。なお、プログラム製品は、プログラム自体と、プログラムが記録された記録媒体とを含む。
【００９１】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００９２】
１  コンテンツ再生システム、１０  放送設備、２０  サーバ装置、２２  アンテナ、２４  表示器、２５  ネットワーク、３０，１１０  制御部、３２，１０４  放送受信部、３４，１０８  記憶部、３６，１１２  出力制御部、３８，１０６  操作部、４０，１１６  通信部、１００  端末装置、１１４  出力部、１１８  バッテリ、１２０  再生制御部、１３０  リスト生成部。
【図１】
2014165572.tif 000003
【図２】
2014165572.tif 000004
【図３】
2014165572.tif 000005
【図４】
2014165572.tif 000006
【図５】
2014165572.tif 000007
【図６】
2014165572.tif 000008
【図７】
2014165572.tif 000009